(57)【要約】【課題】【解決手段】開放位置にて構造的効果が得られるよう格子構造が使用される、水平方向に解放可能な窓における端部固定、片持ち型、又は折り畳み可能な構造的格子構造のフレームの設計である。この設計は、ガラス及びサッシからの荷重を格子構造を通じてハウジングまで伝達し、荷重を担持することを許容し、このことは、窓を開放し且つ閉じるのに必要な機構を簡略化する。
2006522242.tif 000002
【特許請求の範囲】
【請求項１】
水平方向に開放可能な窓において、
窓サッシと、
該窓サッシが開放位置と閉じた位置との間にて水平方向に動くと、該窓サッシを支持し得るよう配置された、一定長さの水平方向に配置された不動の支持部材と、
前記窓サッシを開放位置と閉じた位置との間にて動かす装置とを備える、水平方向に開放可能な窓。
【請求項２】
請求項１の水平方向に開放可能な窓において、
前記窓サッシを整列状態にて（ｉｎ  ｒｅｇｉｓｔｒａｔｉｏｎ）受容し得るよう配置された窓枠（ｃａｓｅｍｅｎｔ）を更に備える、水平方向に開放可能な窓。
【請求項３】
請求項１の水平方向に開放可能な窓において、
前記窓サッシに接続された硬い格子構造を更に備える、水平方向に開放可能な窓。
【請求項４】
請求項３の水平方向に開放可能な窓において、
前記格子構造は、折り畳み可能である、水平方向に開放可能な窓。
【請求項５】
請求項１の水平方向に開放可能な窓において、
一定長さの前記不動の支持部材は、
取り付けブラケットと、
該取り付けブラケットに取り外し可能に接続された支持ブラケットと、を備える、水平方向に開放可能な窓。
【請求項６】
請求項１の水平方向に開放可能な窓において、
一定長さの前記不動の支持部材は、少なくとも２つの部分を備え、
該部分の各々は、
少なくとも１つの取り付け板と、
少なくとも１つの水平方向梁と、
少なくとも１つの軸と、を保持する、水平方向に開放可能な窓。
【請求項７】
請求項１の水平方向に開放可能な窓において、
一定長さの前記水平に配置された不動の支持部材は、第一の端部と第二の端部とを備え、
前記窓サッシは、前記水平方向に配置された不動の支持部材の前記第一の端部と、前記水平方向に配置された不動の支持部材の前記第二の端部との間にて可動である、水平方向に開放可能な窓。
【請求項８】
請求項１の水平方向に開放可能な窓において、
一定長さの前記水平に配置された不動の支持部材は、第一の端部と第二の端部とを備え、
前記窓サッシは、前記水平方向に配置された不動の支持部材における前記第一の端部に対する基端側の位置と、前記水平方向に配置された不動の支持部材における前記第一の端部及び前記第二の端部の双方に対する末端側の位置との間にて可動である、水平方向に開放可能な窓。
【請求項９】
請求項１の水平方向に開放可能な窓において、
一定の長さの前記水平方向に配置された不動の支持部材上に支持されて前記窓サッシに対して動きを提供する動作促進部材を更に備える、水平方向に開放可能な窓。
【請求項１０】
請求項９の水平方向に開放可能な窓において、
前記動作促進部材は、ローラである、水平方向に開放可能な窓。
【請求項１１】
請求項９の水平方向に開放可能な窓において、
前記促進部材は、軸受である、水平方向に開放可能な窓。
【請求項１２】
請求項３の水平方向に開放可能な窓において、
前記窓サッシ及び格子構造は、一つの一体的なユニットとして形成される、水平方向に開放可能な窓。
【請求項１３】
請求項３の水平方向に開放可能な窓において、
前記格子構造は、スチール、アルミニウム、チタン、木、プラスチック、繊維ガラス、及びそれらの組み合わせから成る群から選ばれた材料で出来ている、水平方向に開放可能な窓。
【請求項１４】
請求項１の水平方向に開放可能な窓において、
前記サッシを開放位置と閉じた位置との間にて動かす前記装置は、前記窓サッシの選択的に調節可能な動作を行うべく前記サッシに接続された中空の軸内に入れ子式に受容された少なくとも１つのピンを備える、水平方向に開放可能な窓。
【請求項１５】
請求項２の水平方向に開放可能な窓において、
一定長さの前記水平方向に配置された不動の支持部材は、前記窓枠と接触し得るよう配置される、水平方向に開放可能な窓。
【請求項１６】
請求項２の水平方向に開放可能な窓において、
一定長さの前記水平方向に配置された不動の支持部材は、前記窓枠から隔てられる、水平方向に開放可能な窓。
【請求項１７】
水平方向に開放可能な窓の動作を促進する摩擦減少機構において、
水平方向に配置された一定長さの不動の支持部材と、
水平方向に配置された一定長さの前記不動の支持部材に摺動可能に接続された少なくとも１つの動作促進部材と、を備え、
該少なくとも１つの動作促進部材は、窓サッシを受容し且つ、支持し得るような構造とされる、摩擦減少機構。
【請求項１８】
請求項１７の水平方向に開放可能な窓の動作を促進する摩擦減少機構において、
前記動作促進部材は、少なくとも１つのローラである、摩擦減少機構。
【請求項１９】
請求項１７の水平方向に開放可能な窓の動作を促進する摩擦減少機構において、
前記動作促進部材は、少なくとも１つの軸受である、摩擦減少機構。
【請求項２０】
請求項１７の摩擦減少機構において、
前記動作促進部材は、格子構造を受容し且つ、支持し得る構造とされる、摩擦減少機構。
【発明の詳細な説明】
【技術分野】
【０００１】
本発明は、水平の突き出し方向に外方に開放可能な窓に関し、具体的には、本発明は、窓サッシが構造的格子構造により補強され、窓を開閉するのに必要な力を少なくする設計のローラ、軸受又はその他の同様の摩擦減少方法の助けを受けて１つ又はより多くの水平方向支持体に沿って動く、水平方向に突き出す開放可能な窓用の構造的支持体の設計に関する。
【背景技術】
【０００２】
窓は、何世紀にも亙って建物及び車のようなその他の包み込まれた構造体にて既知であり且つ、使用されており、その殆どは、開放し得るようにされている。開放可能な窓は、典型的に、垂直方向に開放するか、又は、窓フレーム又は窓枠のような、不動の構造体に枢動可能に接続されており、このため、窓は、その接続点の周りにて枢動可能に回転させ、静止構造体に対して窓の一部分を外方に及び窓の一部を内方に動かすことができる。垂直方向に開放可能な窓の一般的な例は、二重上げ下げ窓である。回転窓の一例は、窓枠の中央接続部の周りにて枢動可能に回転する換気用天窓／窓である。
【発明の開示】
【発明が解決しようとする課題】
【０００３】
かかる開放可能な窓は、換気を行うという所期の目的にとって機能可能で且つ、適しているが、これらの窓の各々は、従来の窓を全ての目的にとって不適当とする不利益な点又は難点がある。例えば、従来の窓に関する最も強い懸念事は、割って内に入ることができることである。垂直方向に開放する型式の窓の場合、ガラスを割り、ラッチを開放し、窓は引き違いに開放して泥棒が入るための入口を提供する可能性がある。この結果、窓は、不法な侵入が行われるかもしれないことを恐れて換気のため開放したままにすることができない。このことは、枢動可能に釣り下げた窓は、不法な侵入を可能にする機会は僅かに少ないが、かかる枢動可能に釣り下げた窓にもあてはまる。
【０００４】
従来の窓に関する別の懸念は、暴風が生じるならば、塵、泥及びその他の空気中の塵埃が開放した窓内に吹き込み、且つ望ましくない材料を建物内に導入する可能性があることである。この設計は、ろ過装置を窓の視界を妨げずに設置することを許容する。更に、従来の窓は、物が窓から投げ出されて、外部の人間を負傷させる可能性があり、又は、人が誤って開放した窓から転落する可能性があるため、本来的に安全ではない。その結果、従来の開放可能な窓は、ストッパを追加せずに高層ビル、病院又はその他の施設に設置することはできない。ストッパは、１０．２ｃｍ（４インチ）×１５．２ｃｍ（６インチ）以下のアクセス口を許容し得るように設置されることを特徴とする。このため、かかる構造体の居住者は自然の換気という利点が失われる。
【０００５】
従来の窓の更に別の不利益な点は、窓が開放する要領が窓の他の部分からの視界を妨害する可能性があることである。このことは、網目が窓に取り付けられるとき、特にそうである。この問題点は、枢動可能にハングされた窓の場合、特に顕著であり、それは、窓は窓枠から一部分、外方に且つ一部分、内方に旋回し、窓の一部分は、同時に又は別の時点にて視界を妨害する可能性が大きいからである。更に、枢動可能に釣り下げた窓は、藪又は木にぶつからずに、又は建物内の家具又は固定物に接触せずに、旋回自在でなければならない。
【０００６】
従来の窓の短所を対象とする１つの窓の設計は、水平方向に開放可能な窓である。該水平方向に開放可能な窓は、安全性、妨害されない視界、設置の容易さ及び設置のため実質的に制限されずに配置し得ることを実現する一方にて、開放可能な設計とされている。水平方向に開放可能な窓は、窓枠に対し水平方向に開放し、窓の周縁の実質的に全体に亙って換気された空間を提供することができる構造とされている。窓は取り囲む窓枠から水平方向に動くため、窓は実質的にその当初の形態を保ち、このため、窓からの視界は何ら妨害されることはない。更に、窓が枠から水平方向外方に動く距離は、人間が窓から侵入するのを許容するのに不十分な距離である。
【０００７】
ジャンキャン（Ｊａｎｃａｎ）に対する米国特許明細書６，０７０，６３７号には、水平方向に開放可能な窓が開示されている。この水平方向に開放可能な窓の窓サッシは、窓を開閉する働きをするものと同一の機構によって支持されている。この機構は、窓の四隅に配置されたねじ付きピン及び軸型式の開放器から成っている。これと代替的に、該機構は、鋏型開放器であるようにしてもよい。開放手段は支持手段としても機能するから、全体として、１つ以上の開放手段が必要とされる。多数の開放手段を同時に操作しなければならないので、現在の設計の窓の結果、かなり面倒な開放機構となる。更に、開放手段は、窓を支持するから、窓の重量が開放手段に食い込み、開放することを不可能ではないにしても、より困難にする。
【０００８】
このように、窓サッシの支持体が窓の開閉手段から分離しているならば有益であろう。更に、窓サッシと支持体との間の摩擦を少なくし、窓の開閉をより容易にする手段を提供するならば有益であろう。
【課題を解決するための手段】
【０００９】
本発明に従って、水平方向に開放可能な窓のサッシは、構造的格子構造によって補強される。本明細書にて使用するように、「サッシ」という語は、ガラス、又はその他の同様の透明な材料を保持する窓の部分を意味する。サッシ及び構造的格子構造は、一定の長さを有する少なくとも１つの不動の水平方向支持体により支持されている。該不動の水平方向支持体は、サッシ及び格子が開放位置と閉じた位置との間にて水平方向に動くと、サッシ及び格子に対する支持体を提供し、窓を開放し且つ、閉じるべく使用される手段から分離している。サッシ及び格子を少なくとも１つの水平方向支持体により支持することは、別個の機構にて窓を実際に開放し且つ、閉じるのを許容する。
【００１０】
窓は、また、窓を整列した状態にて受容する窓枠も備えている。窓が窓枠を備える場合、水平方向支持体は、窓枠と接触する位置に配置するか又は、窓枠から離れた位置に配置することができる。
【００１１】
１つの実施の形態において、格子構造は、硬い構造体を備えている。１つの代替的な実施の形態において、格子構造は、開放位置から閉じた位置までアコーディオン状に動くことができるような要領にて設計することができる。
【００１２】
水平方向支持体は、窓が配置された建物にボルト、ねじ、釘、接着剤又は業界にて既知のその他任意の同様の方法により固定状態に取り付けることができる。代替例において、水平方向支持体は、窓が配置された建物に板又はその他の取り付け面を窓が配置された建物に固定することにより、取り外し可能に取り付けられる。次に、支持ブラケットを取り付け面に取り外し可能に取り付け且つ、該取り付け面により支持することができる。
【００１３】
水平方向支持体は、２つ又はより多くの部分から成るものとし、これらの部分の各々は、少なくとも１つの取り付け板と、少なくとも１つの水平梁とを備えるようにすることができる。
【００１４】
窓は、サッシが水平方向支持体の第一の端部と、水平方向支持体の第二の端部との間を動くような形態とすることができる。代替例において、サッシは、サッシが閉じた位置から開放した位置まで動くと、水平方向支持体の第一の端部と第二の端部との双方からサッシが同時に動いて離れるのを許容する装置によって水平方向支持体に可動に取り付けることができる。
【００１５】
格子構造は、開放位置と閉じた位置との間にて前方及び後方に動くことができるような要領にて水平方向支持体に接続されている。その最も有益な構造体において、格子構造及び該格子構造に取り付けられたサッシは、水平方向支持体と格子構造との間に介在させたローラ又は軸受上を動く。ローラは、サッシ及び格子構造が水平方向支持体に沿って動くと、サッシ及び格子構造と水平方向支持体との間の摩擦を減少させる。このことは、サッシ及び格子構造が相対的に容易に開放位置と閉じた位置との間にて動くのを許容し、これにより手クランク式又はモータ駆動型の開放装置、又は単に手でサッシを押し且つ、引っ張ることを含む、多岐に亙る方法を採用して窓を開閉することを許容する。
【００１６】
更に、本発明は、格子構造を金属、プラスチック、木又は何らかの他の適宜な材料にて製造し、窓の構造的強度を増すステップを含む。構造的格子構造は、また、サッシと単一物として形成することもできる。
【発明を実施するための最良の形態】
【００１７】
図面には、現在、本発明を実施するための最良の形態と考えられるものが示されている。
本発明の窓は、窓装置１０の斜視図を示す図１に全体的に示されている。窓装置１０は、全体として、壁１４に予め形成され且つ、適宜な寸法とされた開口部に嵌まる窓枠１２と、少なくとも１つのガラス板１８を支持し得る構造とされたサッシ１６とを備えている。枠１２の外端縁２０は、壁１４と面一にし又は図１に示すように、壁１４から外方に伸びるようにすることができる。サッシ１６は、ガラス板１８を保持する適宜な寸法とされている。しかし、サッシ１６は、また、プレキシガラス又は網材料のような、任意の他型式の従来の窓材料を保持することもできる。
【００１８】
図１に示すように、窓は、サッシ１６に接続され且つ、サッシ１６と窓枠１２との間に配置された格子構造２２を備えている。格子構造２２は、サッシ１６に対し構造的強度を提供する。格子構造２２は、スチール、木、プラスチック、複合材、又は格子構造２２をサッシ１６及びガラス板１８を支持するのに十分に硬くする適宜な強度及び重量の任意の材料にて出来たものとすることができる。１つの代替的な実施の形態において、格子構造２２及びサッシ１６は、互いに１つの一体物として形成することができる。図２に示した格子構造２２は、サッシ１６の面２６の少なくとも一部分（図１２）を受容する寸法及び形状とされた第一の周縁部材２４を有する形態とすることができる。格子構造２２は、また、寸法及び形状の点にて第一の周縁部材２４と同等である第二の周縁部材２８も備えており、該第二の周縁部材２８は、第一の端部３２により第一の周縁部材２４に接続され且つ、第二の端部３４により第二の周縁部材２８に接続された支柱３０によって第一の周縁部材２４から隔てられている。
【００１９】
１つの実施の形態において、支柱３０は、それぞれの周縁部材２４、２８に剛性に固定し、これにより第二の周縁部材２８からの第一の周縁部材２４の隔たった距離を維持することができる。図３に示した１つの代替的な実施の形態において、支柱３０は、格子構造２２が折り畳み可能であるような要領にて周縁部材２４、２８に取り付けられる。この実施の形態において、支柱３０は、第一の周縁部材２４が第二の周縁部材２８から隔てられる第一の位置から該第一の周縁部材２４が図４に示すように第二の周縁部材２８に対して整列する第二の位置まで第一の周縁部材２４が可動であることを許容するような要領にて第一の周縁部材２４及び第二の周縁部材２８に取り付けられる。図３及び図４に示した１つの例として、支柱３０の第一の端部３２及び（又は）第二の端部３４は、枢動部材３６によりそのそれぞれの周縁部材２４、２８に固定することができ、該枢動部材は支柱が枢動部材３６の周りにて回転するのを許容する。代替例において、支柱３０の第一の端部３２及び（又は）第二の端部３４は、ピン部材３８によりそのそれぞれの周縁部材２４、２８に固定することができ、該ピン部材は、支柱３０がピン部材３８により取り付けられる周縁部材２４、２８の通路４０内にて摺動可能に動くことができる。この形態は、第一の周縁部材２４が第二の周縁部材８に向けて動くと、ピン部材３８により固定された支柱３０の端部３２、３４が通路４０内を摺動する際、枢動部材３６により固定された支柱３０の端部３２、３４が枢動部材３６の周りにて回転するのを許容する。
【００２０】
図４には、閉じた位置にある格子構造２２が示されている。ピン部材３８により固定された支柱３０の各々の端部３２、３４は、枢動部材３６により支柱３０の各々の端部３２、３４が枢動部材３６の周りにて回転すると、通路４０に沿って動いている。この配置は、第一の周縁部材２４が第二の周縁部材２８から隔てられた伸長位置（図３）から第一の周縁部材２４が第二の周縁部材２８と整列する閉じた位置（図４）まで周縁部材２４、２８が互いに動くのを許容する。
【００２１】
図１を再度参照すると、支持ブラケット４２は壁１４に固定されている。該支持ブラケット４２は、窓装置１０の支持要素である。該支持ブラケット４２は窓が配置される壁から水平方向外方に突き出している。本明細書にて使用するように、「水平方向」という語は、支持ブラケット及び該支持ブラケットを備える要素を説明するために使用されるとき、窓枠の長軸線に対し垂直な方位を意味する。支持ブラケット４２は不動であり且つ一定の長さを有する。該支持ブラケット４２は、該支持ブラケット４２を壁１４に取り付けるために使用される取り付け板４４を有している。図１に示すように、取り付け板４４は壁１４と面一である。支持ブラケット４２は、取り付け板４４から突き出す水平方向梁４６を有している。該水平方向梁４６は、図１に示すように、窓枠１２と接触することが可能である。しかし、水平方向梁４６は、これと代替的に、該梁が窓枠１２と接触しないように配置してもよい。図５には、水平方向梁４６が窓枠１２から距離４８の位置に配置され、従って窓枠１２と接触しない１つの代替的な実施の形態が示されている。しかし、支持ブラケット４２は、以下により詳細に説明するように、サッシ１６及び格子構造２２を支持している。
【００２２】
２つの水平方向梁４６が図１に示されているが、代替的な実施の形態は、１つのみの水平方向梁４６又は２つ以上の水平方向梁４６を備えるようにしてもよい。水平方向梁４６は、窓装置１０の底部４９に又は窓装置１０の側部５０又は頂部５２に配置することができる。水平方向支持ブラケット梁４６の各々は、ローラハウジング５６（図１０）がその上に配置される軸５４に対する支持体（仮想線で図示）として作用する。該軸５４はサッシ１６の開口部５５を通って伸びる。
【００２３】
図６には、軸５４が水平方向梁４６により支持された支持ブラケット４２の斜視図が示されている。図６に示した実施の形態において、水平方向梁４６は、その第一の端部６０に垂直方向支持体５８を有しており、該垂直方向支持体５８は軸５４の第一の端部６２を支持する。軸５４の第二の端部６４は取り付け板４４によって支持されている。図示した実施の形態において、軸５４は、水平方向梁４６に対し多少なりとも平行に方位決めされている。しかし、水平方向梁４６及び軸５４は平行である必要はない。水平方向梁４６及び軸５４は、軸５４がサッシ１６の移動方向に対し方位決めされる限り（図１）、互いに且つ壁１４に対して任意の方位とすることができる。更に、図６に示した軸５４は多少なりとも方形の断面を有するが、軸５４は、円形、楕円形、矩形等を含む任意の幾何学的形状から成る断面を有するようにすることができる。
【００２４】
図６の実施の形態において、取り付け板４４は、支持ブラケット４２自体の一体的部分である。しかし、図７に示した１つの代替的な実施の形態において、支持ブラケット４２は、取り付けブラケット６８と、取り外し可能な支持ブラケット６９とを備えている。この実施の形態において、取り付けポスト６６は取り外し可能な支持組立体６９に固定される。水平方向梁４６は取り外し可能な支持組立体６９に固定される。取り付けブラケット６８は壁１４に固定される。受容部材７０が取り付けブラケット６８に固定されている。該受容部材７０は、取り付けポスト６６の一端７４を受容するのに十分な凹所７２を保持している。取り付けポスト６６は、取り付けポストの端部７４の各々を相応する受容部材７０の凹所７２内に挿入可能なような形態とされている。
【００２５】
図８に示した更に別の実施の形態において、支持ブラケット４２は、その各々が少なくとも１つの水平方向梁４６を支持する少なくとも２つの別個の部品４５、４７を備えている。次に、取り付け板４４は、各種寸法の窓１０を受容し得るように互いに配置することができる。
【００２６】
図９は、格子構造２２、ローラハウジング５６及び取り付け板４４の部分図である。該ローラハウジング５６は、溶接、ボルト、ねじ、リベット、接着剤又は当該技術分野にて既知の任意のその他の手段により格子構造２２に固定される。軸５４はローラハウジング５６を貫通して伸びている。図１０には、ローラハウジング５６の接写図が示されている。該ローラハウジング５６は、スチール又は構造的に剛性なその他の何らかの材料にて出来ており、その第一の端部７６及び第二の端部７８の双方にて開放した中空の構造体である。軸５４は、ローラハウジング５６を貫通し、該ローラハウジング５６の第一の端部７６及び第二の端部７８の双方を貫通して伸びている。複数のローラ８０がローラハウジング５６の側壁８６、８８に形成された適宜な寸法の穴８４を通るローラ軸８２を介してローラハウジング５６内に配置されている。ローラ分離体９０はローラ８０の一側部に配置されている。第二のローラ分離体９１（仮想線で図示）はローラ８０の反対側部に配置されている。ローラ分離体９０、９１は、ローラハウジング５６内にてローラ８０の位置を維持する。ローラ８０は軸５４の第一の面９２及び第二の面９４の双方と接触する位置に配置され、第一の面９２及び第二の面９４は軸５４の両側部に配置されている。
【００２７】
図１１には、図１０に示したローラハウジング５６の線１１-１１に沿った長手方向断面図が示されている。第一のローラ９６及び第二のローラ９８は、軸５４の第一の面９２と接触する位置に配置されている。第三のローラ１００は、軸５４の第二の面９４と接触するように配置されている。第三のローラ１００は、第一のローラ９６及び第二のローラ９８から変位されている。ローラ９６、９８、１００を配置することは、ローラハウジング５６に対する軸５４の位置を維持する。
【００２８】
図９を再度参照すると、格子構造２２が軸５４によって支持される要領及び軸５４が水平方向梁４６により支持される要領が示されている。ローラハウジング５６は格子構造２２に固定されている。ローラハウジング５６は、ローラ８０が軸５４と接触することで軸５４により支持されている。このように、格子構造２２の重量は軸５４に伝達される。支持ブラケット４２は壁１４に固定されているため、格子構造２２の重量は、ローラハウジング５６、ローラ８０、軸５４、水平方向梁４６及び支持ブラケット４２を介して壁１４に伝達される。格子構造２２は、ローラ８０は格子構造２２が軸５４に沿って殆ど抵抗を受けずに転がることができるため、殆ど力を加えずに軸５４の第一の端部６２と取り付けブラケット４２との間にて両方向に動くことができる。
【００２９】
図示したローラ８０及びローラハウジング５６は、格子構造２２を軸５４に可動に固定する１つの可能な方法を示す。しかし、この目的は、ローラ軸受により又は軸５４と格子構造２２とが直接接触するようなその他の方法により実現し、格子構造２２が実際に軸５４に沿って摺動するようにすることができる。これと代替的に、ローラハウジング５６は、支持ブラケット４２に固定することができる一方、軸５４は、ローラハウジング５６が静止したままにある間に、軸５４がローラハウジング５６を通って前方及び後方に動くような要領にて格子構造２２に固定する。
【００３０】
図１２には、図１に示した窓１０の１つの代替的な実施の形態の長手方向断面図が示されており、ここで、サッシ１６は、格子構造２２と共に軸５４から懸架されている。この実施の形態において、支持ブラケット４２は窓が配置された建物のヘッダ１０２に固定されている。ローラハウジング５６は格子構造２２の上側部分１０４内に配置されている。ローラハウジング５６は、ローラ８０が軸５４と接触することで軸５４により支持されている。格子構造２２がローラハウジング５６に固定され、サッシ１６は格子構造２２に固定されているため、サッシ１６及び格子構造２２は水平方向梁４６により支持されている。図１２にはまた、開放器１０６を窓１０に固定する要領も示されている。開放器１０６は、手動開放手段、電子機械的手段、液圧開放手段又は太陽電池作動手段を含む任意の適宜な機構とすることができる。この場合、開放器１０６は、ねじ付きピン１１０に取り付けられたクランク１０８を備える極めて簡単な機械的（非モータ駆動）手段である。ねじ付きピン１１０はねじ付き軸１１２内に挿入される。クランク１０８は、壁１４の穴１１４を貫通して伸びている。軸受１１６はクランク１０８を取り囲み、この場合、クランク１０８は、壁１４の穴１１４を貫通する。ねじ付き軸１１２は、適宜な手段によりサッシ１６及び（又は）格子構造２２に固定される。クランク１０８が回転すると、該クランクは、ねじ付きピン１１０を回転させ、該ねじ付きピンはねじ付き軸１１２内にて回転する。ねじ付きピン１１０がねじ付き軸１１２内にて回転すると、ねじ付き軸１１２は壁１４に接近し又は壁１４から更に離れるように動く。ねじ付き軸１１２はサッシ１６及び（又は）格子構造２２に固定されるため、ねじ付き軸１１２の動きにより、サッシ１６及び格子構造２２は、壁１４により接近し又は更に離れるように動く。
【００３１】
図１３には、閉じた位置にある窓１０が示される一方、図１には、開放位置にある窓１０が示されている。窓サッシ１６は、図１３に示すように、窓枠１２に対し整列したその位置から水平方向外方に動く。本明細書にて使用するように、「水平方向」という語は、窓サッシ１６の開放状態を説明するため使用するとき、窓サッシ１６が壁１４の平面に対し垂直な方向に向けて窓枠１２に向けて内方に且つ、窓枠１２から外方に動くことを意味する。図１に示した開放位置において、窓サッシ１６と窓枠１２との間に開口部１２０が形成される。この開口部は、窓装置１０を通じて換気することを許容する。開放位置にあるとき、虫又は雨水が窓装置１０を通じて侵入するのを防止するため、換気スカート部１２２を窓サッシ１６の周縁の周りに（すなわち、４側部の全ての周りにて）又は格子構造２２の内部に配置することができ且つ、窓１０の４側部の全ての周りにて窓枠１２とサッシ１６との間にて相互に接続されることが好ましい。換気スカート部１２２は、サッシ１６が窓枠１２から水平方向外方に動くと、構造的格子構造２２及び（又は）サッシ１６と共に外方に動くような構造とされている。
【００３２】
図１４、図１５、図１６及び図１７には、支持要素１２６は窓装置１２４が取り付けられた建物の内部に突き出す、窓装置１２４の１つの代替的な実施の形態が示されている。支持要素１２６は、サッシ１６の移動方向に対し多少なりとも平行に方位決めされた水平方向部材１２８を備えている。支持要素１２６はまた、締結要素１３０も備えている。該締結要素１３０は、支持要素１２６を壁１４に取り付ける手段として機能する。支持要素１２６は、レール１３６の第一の端部１３４を支持する第一の垂直方向支持ポスト１３２を有している。該レール１３６は、第二の垂直方向支持ポスト１４０により支持される第二の端部１３８を有している。第二の垂直方向支持ポスト１４０は、第一の垂直方向支持ポスト１３２とレール１３６の第二の端部１３８との間の１点に配置されている。
【００３３】
図１５には、支持要素１２６及びレール１３６の斜視図が示されている。この図には、レール１３６の第一の端部１３４が第一の垂直方向支持要素１３２により支持される要領が示されている。この図にはまた、レール１３６の第二の端部１３８が第二の垂直方向支持要素１４０により支持される要領も示されている。第二の垂直方向支持要素１４０は、レール１３６の第二の端部１３８と第一の垂直方向支持要素１３２との間の任意の位置に配置することができる。レール１３６は、またその上面１４４に凹所１４２も保持している。この凹所１４２内には第一のローラ１４６が取り付けられている。該第一のローラ１４６は、レール１３６の穴１５０を貫通し且つ、第一のローラ１４６を貫通する回転軸１４８により、第一のローラ１４６が回転可能な仕方にてレール１３６に接続されている。第一のローラ１４６は、また第一のローラ１４６の一部分がレール１３６の上面１４４を越えて伸びるようにも配置されている。
【００３４】
図１６には、支持要素１２６及びレール１３６の部分斜視図が示されている。この図において、トロリー１５２は、その第一の側部１５４が第一のローラ１４６上に休止するように配置されている。該トロリー１５２は、レール１３６の側端縁１５８を越えて伸びる２つの側部１５６を有しており、このため、トロリー１５２の側部１５６はレール１３６の側端縁１５８と接触しない。図１７は、トロリー１５２及びレール１３６の断面図であり、側部１５６がレール１３６の側端縁１５８を越えて伸びる要領が示されている。図１６を再度参照すると、トロリー１５２の側端縁１５６は、またレール１３６の下面１６０を越えても伸びている。第二のローラ１６２は、トロリー１５２の側部１５８の穴１６８を貫通し且つ第二のローラ１６２を貫通する回転軸１６４により、第二のローラ１６２が回転可能であるような仕方にてトロリー１５２の側部１５６の接続されている。第二のローラ１６２は、第一のローラ１４６とトロリー１５２の第二の端部１７０との間の１点に配置されている。第二のローラ１６２はまた、該ローラがレール１３６の下面１６０と接触するようにも配置されている。第一のローラ１４６及び第二のローラ１６２は、レール１３６とトロリー１５２との間に接触点を提供し且つ、トロリー１５２がレール１３６に沿って前方及び後方に動くのを許容する。図１５には２つのローラが示されているが、２つ以上のローラを使用することが可能である。
【００３５】
図１４を再度参照すると、格子構造２２は、トロリー１５２の第一の端部１７２に取り付けられている。トロリー１５２は、該トロリーがレール１３６に沿って前方及び後方に動くと、ローラ１４６、１６２により支持される。トロリー１５２の前部１５３は、閉じた位置における点Ａと、開放した位置における点Ｂとの間を動く。格子構造２２及びサッシ１６は、トロリー１５２に接続されているから、これらがトロリー１５２と共に前方及び後方に動くと、開放位置と閉じた位置との間を動く。本明細書にて、図示した実施の形態の具体的な詳細について言及することは、単に一例であり且つ、何ら制限的なものではない。当該技術分野の当業者には、特許請求の範囲に記載された本発明の精神及び範囲から逸脱せずに、本発明の図示した実施の形態に対し多数の追加、削除及び形態変更を為すことが可能であることが明らかであろう。
【図面の簡単な説明】
【００３６】
【図１】窓が部分的に開放した位置にある、本発明の窓の斜視図である。
【図２】窓の構造的格子構造を示す斜視図である。
【図３】開放位置にある折畳み可能な格子構造を示す側面図である。
【図４】折畳んだ位置にある折畳み可能な格子構造を示す側面図である。
【図５】窓枠からある距離に配置された取り付けブラケットを示す窓の斜視図である。
【図６】水平方向外部支持体を示す斜視図である。
【図７】着脱可能な締結ブラケットを備える水平方向支持体の斜視図である。
【図８】２つの独立的な部品を備える水平方向支持体の斜視図である。
【図９】構造的格子構造及び水平方向外部支持体の部分斜視図である。
【図１０】ローラ機構の斜視図である。
【図１１】線１１−１１に沿い且つ、ローラ機構内のロッドの位置を示す図１０に示したローラ機構の長手方向断面図である。
【図１２】１つの代替的な窓の実施の形態を示す長手方向断面図である。
【図１３】閉じた位置にある窓の斜視図である。
【図１４】窓が取り付けられる建物の内部に向けて水平方向支持体が片持ち状とされた窓の１つの実施の形態を示す長手方向断面図である。
【図１５】図１４の代替的な実施の形態の支持体及びレールを示す斜視図である。
【図１６】レールがトロリーを支持する、図１４の支持体及びレールの部分斜視図である。
【図１７】図１６に示し且つ、線１７−１７に沿ったレール及びトロリーの断面図である。
【図１】
2006522242.tif 000003
【図２】
2006522242.tif 000004
【図３】
2006522242.tif 000005
【図４】
2006522242.tif 000006
【図５】
2006522242.tif 000007
【図６】
2006522242.tif 000008
【図７】
2006522242.tif 000009
【図８】
2006522242.tif 000010
【図９】
2006522242.tif 000011
【図１０】
2006522242.tif 000012
【図１１】
2006522242.tif 000013
【図１２】
2006522242.tif 000014
【図１３】
2006522242.tif 000015
【図１４】
2006522242.tif 000016
【図１５】
2006522242.tif 000017
【図１６】
2006522242.tif 000018
【図１７】
2006522242.tif 000019